(57)【要約】【課題】固定基材に対する着脱作業がきわめて迅速かつ容易に行い得る作業性に優れた便利な新規構造の固定金具を提供する。【解決手段】断面コ字形の形枠体１をその上辺部２及び下辺部３の両端に外方に延設する遊出部２ａ、３ａを形成し、該両遊出部２ａ、３ａに各々上下対応するかんぬき孔４、５を穿設し、該形枠体１を矩形断面を有する固定基材Ａに側方から外嵌させた状態で、該かんぬき孔４、５に差し渡すかんぬき体６を着脱可能に差入れ係合し得るように構成したことを特徴とする。【選択図】        図１
2004225854.tif 000002
【特許請求の範囲】
【請求項１】
断面コ字形の形枠体１をその上辺部２及び下辺部３の両端に外方に延設する遊出部２ａ、３ａを形成し、該両遊出部２ａ、３ａに各々上下対応するかんぬき孔４、５を穿設し、該形枠体１を矩形断面を有する固定基材Ａに側方から外嵌させた状態で、該かんぬき孔４、５に差し渡すかんぬき体６を着脱可能に差入れ係合し得るように構成したことを特徴とする固定金具。
【請求項２】
前記かんぬき体６を弓状に湾曲形成して、該かんぬき体６をかんぬき孔４、５に差し入れた状態下で少なくともその一部が固定基材Ａに弾接するようになした請求項１に記載の固定金具。
【発明の詳細な説明】
【０００１】
【発明の属する技術分野】
本発明は、矩形断面を有する横桟等の固定基材に着脱可能に固定し得る固定金具に関するものである。
【０００２】
【従来の技術】
コンビニエンス・ストア、量販店等での制約された商品陳列スペースにおいて、多数の商品を有効に陳列するために商品吊下げ用の棒状フックを水平に突き出し、これに多数の商品を吊下げる形式の商品吊下げ陳列具が近年広く普及している。
【０００３】
従来、この種の商品吊下げ陳列具において用いられている矩形断面を有する横桟等の固定基材に対し着脱自在に固定し得る固定金具は、図４に示すように上下方向に余裕寸法を持たせた断面コ字形の形枠体１１におけるその上辺部１２の端縁に係止突片１３を垂設すると共にその下辺部１４に手回し螺子１５を螺進退可能に装備し、該手回し螺子１５を必要に応じて正逆回動することによって進退動させ、該固定金具を固定基材Ａに着脱自在に締結固定して、該固定金具に一体的に溶接固定してなる商品吊下げ用の棒状フック１６を水平方向に突き出させるように支持固定できるよう構成している。
【０００４】
【発明が解決しようとする課題】
然しながら、かかる構成の従来の固定金具にあっては、固定基材Ａに対し着脱する際に、その都度手回し螺子１５の回動操作が必要となることから、その着脱作業は煩わしい手間及び時間を要する作業性の悪いものであるという問題点があった。
【０００５】
本発明は、如上の問題を背景としてこれを解決すべく案出したものであって、固定基材に対する着脱作業がきわめて迅速かつ容易に行い得る作業性に優れた便利な新規構造の固定金具を提供することを目的とするものである。
【０００６】
【課題を解決するための手段】
上記目的を達成するための本発明の構成を実施の形態を用いて説明すると、本発明の固定金具は、断面コ字形の形枠体１をその上辺部２及び下辺部３の両端に外方に延設する遊出部２ａ、３ａを形成し、該両遊出部２ａ、３ａに各々上下対応するかんぬき孔４、５を穿設してなり、該形枠体１を矩形断面を有する固定基材Ａに側方から外嵌させた状態で、該両かんぬき孔４、５に差し渡すかんぬき体６を着脱可能に差入れ係合し得るように構成したことを主要な特徴とするものである。これにより、前記課題が好適に達成できる。
【０００７】
かんぬき体６は、弓状に湾曲形成して、該かんぬき体５をかんぬき孔４、５に差し入れた状態下で少なくともその一部が固定基材Ａに弾接するようになすことが有効である。これにより、前記課題が好適に達成できる上に、形枠体１を固定基材Ａにガタ無く支持固定させることができると共にかんぬき体６が不用意に抜き出ることを防止することができる。
【０００８】
【発明の実施の形態】
以下に、本発明の実施の形態を実施例に基づき図面を参照して説明する。
【０００９】
【実施例】
形枠体１は、図１及び図２に示すように横幅１〜４ｃｍ程度の金属製帯状板を所定の陳列スペースに水平支持された矩形断面を有する横桟等の固定基材Ａに側方から密着状に外嵌させ得るように適合する断面コ字状に折曲形成していると共にその上辺部２及び下辺部３の両端に外方に延設する遊出部２ａ、３ａを形成する。そして、該遊出部２ａ、３ａには、各々上下で対応するかんぬき孔４、５を穿設する。
【００１０】
形枠体１を前記固定基材Ａに側方から外嵌させた状態で、固定基材Ａの背面側に突き出る遊出部２ａ、３ａにおける両かんぬき孔４、５に差し渡すかんぬき体６を上方から下方に向けて着脱可能に差し入れて係合する。これによって、該形枠体１は固定基材Ａに拘束、固定され、該形枠体１の適宜部位に溶接等で一体的に固定してなる商品吊下げ用の棒状フック８を固定基材Ａの前側方に水平状態に突出するように支持固定して配置させることができる。
【００１１】
また、かんぬき体６を引き上げて、該かんぬき体６を形枠体１の遊出部２ａ、３ａにおける両かんぬき孔４、５から抜き出すことによって、形枠体１を固定基材Ａから解放、離脱させて商品吊下げ用の棒状フック８を撤去することができる。
【００１２】
本実施例において、かんぬき体６は、形枠体１より横幅が狭くかつ上下に長い寸法の金属製の帯状板からなり、上端に折曲部７を設けている。該かんぬき体６は、上下の両かんぬき孔４、５に差し渡してかんぬき作用を担う構成で有れば足り、その具体的構造を限定するものではなく、かんぬき孔４、５の形状を対応させた上で棒状又は針金状のもので構成することも可能である。
【００１３】
また、かんぬき体６は、図３に示すように弓状に湾曲形成させて、該かんぬき体６をかんぬき孔４、５に差し入れた状態下で少なくともその一部が固定基材Ａにスプリング作用を持って弾接するように構成することが好ましい。このように構成すると、形枠体１を固定基材Ａにガタ無く支持固定させることができると共に該かんぬき体６がかんぬき孔４、５から不用意に抜き出ることを防止することができる。
【００１４】
【発明の効果】
本発明の固定金具は、上記の如き構成になるので、請求項１に記載の固定金具にあっては、かんぬき孔４、５に対するかんぬき体６の着脱のみによって、きわめて迅速、容易に固定基材Ａへの取付け、取外しが可能となり、作業性を大幅に向上させることができると共に構造簡単にして製作容易であり、市場に廉価に提供できる。
【００１５】
また、請求項２に記載の固定金具にあっては、更に形枠体１を固定基材Ａにガタ無く支持固定させることができると共にかんぬき体６が不用意に抜き出ることを防止することができる、等の優れた効果を奏する。
【図面の簡単な説明】
【図１】本発明固定金具の使用状態の縦断面図である。
【図２】本発明固定金具の使用状態の背面図である。
【図３】本発明固定金具におけるかんぬき体の別の実施例を示す側面図である。
【図４】従来の固定金具を示す使用状態の部分切断側面図である。
【符号の説明】
１    形枠体
２    上辺部
２ａ  遊出部
３    下辺部
３ａ  遊出部
４    かんぬき孔
５    かんぬき孔
６    かんぬき体
７    折曲部
８    棒状フック
Ａ    固定基材
【図１】
2004225854.tif 000003
【図２】
2004225854.tif 000004
【図３】
2004225854.tif 000005
【図４】
2004225854.tif 000006